(57)【要約】【課題】タイムシフト機能を有するテレビにおいて、タイムシフト録画する際に、タイムシフト録画可能な容量を十分に確保しつつ、録画する番組に関する情報をタイムシフト再生時に利用可能とする技術を提供する。【解決手段】テレビ１０は、連携機能を持つ外部レコーダ７０と接続され、デジタル放送の番組をタイムシフト録画するときに、その番組の番組情報を外部レコーダ７０でデジタル放送を受信して記録する。タイムシフト再生時には、テレビ１０は、外部レコーダ７０に記録されている番組情報とタイムシフト再生対象の番組を合成して表示する。【選択図】図１
2011228790.tif 000002
【特許請求の範囲】
【請求項１】
タイムシフト機能を有するとともに、外部レコーダと連動可能なテレビ受像装置であって、
タイムシフト録画及び再生を行うタイムシフト機能部と、
タイムシフト録画する際に、タイムシフト録画している番組の情報を、前記外部レコーダに記録するように要求するとともに、タイムシフト再生する際に、前記外部レコーダに対して、前記タイムシフト再生に対応する前記番組の情報を要求する外部機器制御手段とを
備えることを特徴とするテレビ受像装置。
【請求項２】
前記外部レコーダとの連動は、ＨＤＭＩインタフェイスのＣＥＣ機能によりなされることを特徴とする請求項１に記載のテレビ受像装置。
【請求項３】
タイムシフト機能を有するテレビ受像装置におけるタイムシフト録画再生方法であって、
タイムシフト録画する際に、連動可能に接続された外部レコーダの電源をオンする工程と、
タイムシフト録画対象の番組を前記外部レコーダに記録するように指示する工程と、
タイムシフト再生する際に、前記外部レコーダの電源をオンする工程と、
タイムシフト再生する番組の番組情報を前記外部レコーダに要求する工程と、
前記タイムシフト再生する番組と前記外部レコーダから前記要求に応じて取得した前記番組情報とを合成して出力する工程と、
を備えることを特徴とするタイムシフト録画再生方法。
【請求項４】
前記外部レコーダは、ＨＤＭＩインタフェイスによって連動可能に接続されることを特徴とする請求項３に記載のタイムシフト録画再生方法。
【発明の詳細な説明】
【技術分野】
【０００１】
本発明は、テレビ受像装置およびタイムシフト録画再生方法に係り、特に、タイムシフト機能を有するテレビ受像装置およびタイムシフト録画再生方法に関する。
【背景技術】
【０００２】
近年のフラッシュメモリの大容量化及び低価格化に伴い、タイムシフト機能を備えたテレビ受像装置が数多く市場に投入されるようになっている。このタイムシフト機能を用いることで、ライブ放送で見逃した番組を見ることができる。ところで、タイムシフト機能には、一般に以下のように制約がある。つまり、時間ずらして視聴している番組に対して番組情報が取得できない。これは、タイムシフト記録しているメモリに対して最大値の制限があるためであり、番組情報を記録することで、タイムシフトの録画で番組本編の記録可能時間が減ってしまうことによる。さらに、現実的なハード構成の制約により、現在番組と録画番組の両方の番組情報を取得することが困難であることによる。
【０００３】
そこで、記録容量を確保するために様々な技術が提案されており、例えば、ＬＡＮ接続された外部機器に蓄積されている番組情報を取得して、記録したコンテンツの内容とその名称との整合性を取ることができる技術がある（例えば、特許文献１参照）。
【先行技術文献】
【特許文献】
【０００４】
【特許文献１】特開２０１０−１０９６４号公報
【発明の概要】
【発明が解決しようとする課題】
【０００５】
ところで、特許文献１に開示の技術によれば、ネットワーク上に蓄積された番組情報を利用することで、タイムシフト録画する場合において、テレビ本体の記憶領域を番組本編の記憶に最大限に活用するようになっている。しかし、ネットワーク上の機器にアクセスする構成は、一般的なユーザにとって敷居の高いものであり、より利用しやすい技術が求められていた。
【０００６】
また、ネットワーク上に蓄積された番組情報は、必ずしもテレビで利用することが想定されているとは限らず、連携の観点から別の技術が求められていた。
【０００７】
本発明の目的は、上記課題に鑑み、タイムシフト機能を有するテレビにおいて、タイムシフト録画する際に、タイムシフト録画可能な容量を十分に確保しつつ、録画する番組に関する情報をタイムシフト再生時に利用可能とする技術を提供することにある。
【課題を解決するための手段】
【０００８】
本発明に係る装置は、タイムシフト機能を有するとともに、外部レコーダと連動可能なテレビ受像装置に関する。このテレビ受像装置は、タイムシフト録画及び再生を行うタイムシフト機能部と、タイムシフト録画する際に、タイムシフト録画している番組の情報を、前記外部レコーダに記録するように要求するとともに、タイムシフト再生する際に、前記外部レコーダに対して、前記タイムシフト再生に対応する前記番組の情報を要求する外部機器制御手段とを備える。
また、前記外部レコーダとの連動は、ＨＤＭＩインタフェイスのＣＥＣ機能によりなされてもよい。
本発明に係る方法は、タイムシフト機能を有するテレビ受像装置におけるタイムシフト録画再生方法であって、タイムシフト録画する際に、連動可能に接続された外部レコーダの電源をオンする工程と、タイムシフト録画対象の番組を前記外部レコーダに記録するように指示する工程と、タイムシフト再生する際に、前記外部レコーダの電源をオンする工程と、タイムシフト再生する番組の番組情報を前記外部レコーダに要求する工程と、前記タイムシフト再生する番組と前記外部レコーダから前記要求に応じて取得した前記番組情報とを合成して出力する工程と、を備える。
また、前記外部レコーダは、ＨＤＭＩインタフェイスによって連動可能に接続されてもよい。
【発明の効果】
【０００９】
本発明によれば、タイムシフト機能を有するテレビにおいて、タイムシフト録画する際に、タイムシフト録画可能な容量を十分に確保しつつ、録画する番組に関する情報をタイムシフト再生時に利用可能とする技術を提供することができる。
【図面の簡単な説明】
【００１０】
【図１】発明の実施形態に係る、テレビの概略構成を示す機能ブロック図である。
【図２】発明の実施形態に係る、タイムシフト録画時に番組情報を外部レコーダに記録する処理を示すフローチャートである。
【図３】発明の実施形態に係る、タイムシフト再生時に外部レコーダに記録されている番組情報を利用する処理を示すフローチャートである。
【図４】発明の実施形態に係る、デジタル放送のライブ放送表示状態においてチャンネルコール部を表示させた画面の例を示す図である。
【図５】発明の実施形態に係る、タイムシフト再生が準備完了状態でライブ放送表示状態となっている画面の例を示す図である。
【図６】発明の実施形態に係る、タイムシフト再生が開始された状態の画面の例を示す図である。
【図７】発明の実施形態に係る、チャンネルコール部においてタイムシフトカウンタ部とタイムシフト操作パネルを表示させた画面の例を示す図である。
【図８】発明の実施形態に係る、ホームメニュー表示中にタイムシフト再生を行っている状態を示した画面の例を示す図である。
【発明を実施するための形態】
【００１１】
次に、本発明を実施するための形態（以下、単に「実施形態」という。）を、図面を参照して具体的に説明する。本実施形態では、ＨＤＭＩ（High Definition Multimedia Interface）連携機能を持つレコーダ機器を接続しておき、デジタル放送の番組をタイムシフト録画するときに、その番組の番組情報をレコーダ機器でデジタル放送を受信して記録する。
【００１２】
本実施形態では、テレビと外部レコーダとを連携動作させるために、ＨＤＭＩ−ＣＥＣ（HDMI-Consumer Electronics Control；以下、単に「ＣＥＣ」）機能が用いられる。ＣＥＣ機能は、ＨＤＭＩ規格により提供されているリンク機能であり、このＣＥＣ機能を用いることで、ＨＤＭＩインタフェイスで接続される機器同士が相互に連携することができ、相互連携する機器が市場に投入されている。
【００１３】
ここで、ＨＤＭＩインタフェイスについて簡単に説明する。ＨＤＭＩインタフェイスは、例えばテレビと録画再生装置（外部レコーダ）との間で信号伝送を行う手段の１つであり、ＨＤＭＩ規格に準拠した信号伝送手段である。このＨＤＭＩインタフェイスは、外観上１本にまとめられたＨＤＭＩケーブルによってデジタルの映像信号及び音声信号を同時に伝送でき、劣化のない信号伝送を実現している。なお、ＨＤＭＩインタフェイスにおいて、映像信号及び音声信号を含む信号は、ＴＭＤＳ（Transition Minimized Differential Signaling）信号伝送ラインを通じて高速伝送される。また、ＨＤＭＩ規格は、さらにその中でＣＥＣ規格が規定されており、ＨＤＭＩインタフェイスは、そのＣＥＣ規格に準拠した信号伝送ライン（以下、「ＣＥＣライン」という）を内包した信号伝送手段として構成される。このＣＥＣラインを内包するＨＤＭＩインタフェイスは、ＴＭＤＳラインを通じた映像信号及び音声信号の伝送に加え、ＣＥＣラインを通じてその他の情報（制御情報など）を伝送することが可能である。なお、ＨＤＭＩインタフェイスは、ＴＭＤＳラインを通じた映像信号及び音声信号の伝送は一方向にのみ可能であるがが、ＣＥＣラインを通じた情報伝送は双方向で可能である。以下、ＣＥＣ機能を利用したタイムシフト機能における代替録画処理について詳細に説明する。
【００１４】
まず、本実施形態に係るテレビ１０における基本的なタイムシフト処理について説明する。図４は、デジタル放送のライブ放送表示状態においてチャンネルコール部Ｆ２０を表示させた画面Ｆ１０を示している。チャンネルコール部Ｆ２０は、画面Ｆ１０の右上に表示されており、選局動作直後やユーザの所定の操作後に、例えば４秒等の所定時間表示される。ここでは、チャンネルコール部Ｆ２０は、放送局の名称が表示されている放送局表示部Ｆ２１と、チャンネル番号が表示されるチャンネル番号部Ｆ２２と、表示されている番組の番組情報等が表示される番組情報部Ｆ２３が備わる。番組情報部Ｆ２３の内容は、後述するＴＳ（Transport Stream）に含まれるＳＩ（Service Information）を元に構成される。
【００１５】
図５は、タイムシフト再生が準備完了状態でライブ放送表示状態となっている画面Ｆ１１の例である。タイムシフトモードにおいて、タイムシフト録画状態となるとチャンネルコール部Ｆ２０の放送局表示部Ｆ２１の下側に「TIME SHIFT READY」と表記されるタイムシフト状態アイコンＦ３１が表示される。その隣には、現在の表示状態として「ライブ放送」を表示中である旨を示す「LIVE」と表記されたライブ状態アイコンＦ３２が表示される。また、画面Ｆ１１の左下には、タイムシフトカウンタ部Ｆ４０が表示される。これは、例えばユーザが、「カウンタ表示設定ＯＮ」を選択している場合に表示され、スポット表示時には隠れるようになっている。タイムシフトカウンタ部Ｆ４０は、メモリの使用量（使用率）をバーの長さで示す使用状況表示バーＦ４１と、再生位置を示すつまみ（アイコン）である再生位置表示部Ｆ４２とを備える。
【００１６】
図６は、図５の状態からタイムシフト再生が開始された状態の画面Ｆ１２の例である。ここでは、図５のライブ状態アイコンＦ３２の代わりにタイムシフト再生アイコン部Ｆ３３が表示される。また、通常は、タイムシフト再生時においては、タイムシフト再生している番組の番組情報の取得は出来ないため、図示のように、再生データから判別可能な情報に関して表示される。ただし、後述するようにタイムシフト録画中に番組情報を別途記録する処理がなされると、図５番組情報部Ｆ２３と同程度の内容がタイムシフト再生中であっても図６の番組情報部Ｆ２３に表示が可能となる。なお、タイムシフト再生ではあるがタイムシフト録画中でない場合は、タイムシフト状態アイコンＦ３１は表示されない。また、タイムシフト状態アイコンＦ３１は、ユーザの操作内容に応じてアイコン形状が変化する。さらに、再生位置表示部Ｆ４２は、タイムシフト状態アイコンＦ３１と同様に、ユーザの操作内容に応じて表示形状等が変更されてもよい。再生中であればその旨を表す操作ボタンに付されているアイコンが表示され、一時停止中であれば、そのアイコンが表示される。
【００１７】
図７は、チャンネルコール部Ｆ２０において番組情報部Ｆ２３の代わりにタイムシフトカウンタ部Ｆ４５とタイムシフト操作パネルＦ５０を表示させた画面Ｆ１３の例である。タイムシフトカウンタ部Ｆ４５は、図５や図６のタイムシフトカウンタ部Ｆ４０と同様であるが、ここでは、メモリ限界に達した（バーが右端に到達した）旨を示す「ＦＵＬＬ」が表示されている。タイムシフト処理部５０では、一般的な再生操作ボタンに相当するアイコンと共に、再生位置を所定時間だけ前後にスキップする「１０秒戻し」ボタンや「３０秒送り」ボタンが設けられている。
【００１８】
図８は、ホームメニュー（設定画面）表示中に図６と同様のタイムシフト再生を行っている状態を示した画面Ｆ１４の例である。この画面Ｆ１４では、画面右側に各種設定用の設定表示領域Ｆ６０があり、画面左側にチャンネルコール部Ｆ２０とタイムシフトカウンタ部Ｆ４０が表示される。なお、ホームメニュー（設定画面）表示中には、図４と同様にタイムシフト再生が準備完了状態でライブ放送表示状態でも表示可能である。また、画面Ｆ１４の下段の領域Ｆ６１には、タイムシフト再生中であってもライブ放送の番組情報が表示される。ただし、タイムシフト再生中のコンテンツに関する番組情報が利用可能であれば、その番組情報が表示されてもよい。
【００１９】
図１は、本実施形態に係るテレビ１０の概略構成を示す機能ブロック図であり、このテレビ１０は、タイムシフト機能を有すると共に、ＨＤＭＩインタフェイスにより外部レコーダ７０と接続する。テレビ１０と外部レコーダ７０は、上述したＣＥＣ機能によって相互に連携可能になっている。外部レコーダ７０は、ＨＤＭＩインタフェイスを有するＤＶＤレコーダやＢＤレコーダ、ＨＤＤレコーダであり、後述するテレビ１０のチューナ３２と同様の機能を有して地上デジタル放送波を受信することが可能である。
【００２０】
このテレビ１０は、主制御部２０と、ソース部３０と、セレクタ１４と、コンテンツ出力処理部１６と、出力部１８と、操作取得部２６と、タイムシフト処理部５０とを備えている。
【００２１】
主制御部２０は、テレビ１０の各構成要素を統括的に制御する。この主制御部２０や後述の視聴制限制御部４０等の各構成要素は、例えば、ＣＰＵ（中央演算装置）等のＬＳＩ（大規模集積回路）やメモリで構成され、そのメモリに記憶されたプログラムらが実行されることで、その機能が実現される。操作取得部２６は、リモコン等の操作手段２７によるテレビ１０への操作を受け付けるユーザ・インタフェイスである。
【００２２】
ソース部３０は、コンテンツのソース機能として、チューナ３２と、内蔵レコーダ３４と、外部機器入出力部３６とを備える。チューナ３２は、アンテナに接続されており、例えば地上デジタル放送を受信し及び復調し、ＴＳ（Transport Stream）を出力する。
【００２３】
内蔵レコーダ３４は、例えば、ＢＤ（Blue-ray Disc）ドライブ、ＨＤＤ（Hard disk drive）、ＳＳＤ（Solid State Drive）、フラッシュメモリ等を記録ディバイスとして利用した装置である。この内蔵レコーダ３４は、チューナ３２や外部レコーダ７０から取得したコンテンツを記録したり、また、記録されているコンテンツを再生し、セレクタ１４を介してコンテンツ出力処理部１６に出力する。
【００２４】
外部機器入出力部３６は、ＤＶＤレコーダやＢＤレコーダ等の外部レコーダ７０とＨＤＭＩ接続する入出力インタフェイスである。また、外部機器入出力部３６は、メモリカードやＵＳＢメモリ等の外部メモリ７５と接続する入出力インタフェイスとしても機能する。外部メモリ７５は、タイムシフト機能の一部として機能させることもできる。
【００２５】
外部機器入出力部３６と外部レコーダ７０は、ＨＤＭＩケーブル８０によって双方向通信可能に接続されている。ここで、ＨＤＭＩインタフェイスは、映像信号及び音声信号（いずれもデジタル信号）を伝送するＴＭＤＳラインと、ＣＥＣ規格に準拠したＣＥＣラインを含んでいる。なお、ＴＭＤＳラインは、複数本の信号ラインにより構成され、ＴＭＤＳライン及びＣＥＣラインは、１本のＨＤＭＩケーブル８０として構成されている。
【００２６】
セレクタ１４は、ソース部３０からユーザの指定等のソースを選択し、そのソースのコンテンツをコンテンツ出力処理部１６に出力する。また、外部レコーダ７０とテレビ１０を接続する場合には、外部機器入出力部３６を対象ソースとして選択する。
【００２７】
コンテンツ出力処理部１６は、チューナ３２から取得したＴＳを復号して画像データと音声データを抽出し、それらを同期させて出力部１８に出力する。また、コンテンツ出力処理部１６は、画像データを出力するときに、必要に応じてデータ放送の内容や、選択されているチャンネル番号、時刻などの表示を番組の画像データに追加したり加工したりする。具体的な処理として、コンテンツ処理部１６は、ＤｅＭＵＸ処理として、複数のストリームが多重化されて状態のＴＳから必要なストリームを取り出す。さらに、コンテンツ処理部１６は、ストリームを構成するパケットの中から、必要とするためのフィルタリング処理を行う。まず、ＰＩＤフィルタリング処理によって、選択されているチャンネルに対応するパケットが取り出される。また、その後、セクション・フィルタリング処理によって、セクション形式のパケットと映像音声ストリーム（映像パケット及び音声パケット）とに分離される。セクション形式のパケットには、番組情報として利用されるデータが含まれている。
【００２８】
また、出力部１８は、画像データを表示する表示部や音声データを出力するスピーカを備える。なお、以降の説明では、コンテンツの出力として映像について例示するが、当然に音声についても同様の処理がなされる。
【００２９】
タイムシフト処理部５０は、フラッシュメモリ等のタイムシフト用記憶部５２を備えており、一般的なタイムシフト処理を実現する機能を有すると共に、本実施形態において特徴的な機能を実現する構成として、タイムシフト外部機器制御部６０を備える。
【００３０】
タイムシフト処理部５０は、タイムシフト録画する場合に、コンテンツ処理部１６でＤｅＭＵＸ処理されたＴＳを取得する。そして、上述のフィルタリング処理によって、タイムシフト録画する番組（チャンネル）に対応する映像音声ストリーム（映像パケット及び音声パケット）を抽出してタイムシフト用記憶部５２に記録する。
【００３１】
タイムシフト外部機器制御部６０は、テレビ１０でタイムシフト録画が開始されると、ＣＥＣ機能を用いて外部レコーダ７０を制御して、外部レコーダ７０にタイムシフト録画されている番組の番組情報を記録する。つまり、外部レコーダ７０は、コンテンツ処理部１６と同様の処理によって、ＴＳ分離処理を行い、地上デジタル放送を受信し及び復調し、ＤｅＭＵＸ処理及びフィルタリング処理をして、セクション形式のパケットを抽出して記録することができる。
【００３２】
タイムシフト用記憶部５２に記録されているデータをタイムシフト再生する場合に、タイムシフト処理部５０は、タイムシフト用記憶部５２から所望の番組のデータを取り出して、コンテンツ処理部１６に出力する。同時に、タイムシフト外部機器制御部６０は、ＣＥＣ機能を用いて、外部レコーダ７０に対して、タイムシフト再生する番組に対応する番組情報をテレビ１０へ出力するように指示する。
【００３３】
以上の構成によるタイムシフト録画及び再生の動作について図２及び図３のフローチャートを参照して説明する。
【００３４】
図２は、タイムシフト録画の動作を示すフローチャートである。テレビ１０において、ユーザの操作又は所定の設定によってタイムシフト録画が開始されると、タイムシフト処理部５０は、チューナ３２が出力するＴＳを取得し（Ｓ１０）、所望のチャンネルの映像ストリーム及び音声ストリームをフィルタリング処理により抽出してタイムシフト用記憶部５２に記録する（Ｓ１２）。同時に、タイムシフト外部機器制御部６０は、ＣＥＣ機能を用いて、外部機器入出力部３６を介して外部レコーダ７０の電源をオンする指示信号を出力する（Ｓ１４）。
【００３５】
ここで、外部レコーダ７０は、テレビ１０からのオンの指示信号を取得すると、電源をオン状態として、録画可能な状態となる（Ｓ３０）。外部レコーダ７０は、録画可能状態になると、その旨をテレビ１０に通知する（Ｓ３２）。
【００３６】
タイムシフト外部機器制御部６０は、外部レコーダ７０から電源オンした旨の通知を受けると（Ｓ１６）、外部レコーダ７０に対して、ＣＥＣ機能を用いて、タイムシフト録画中の番組の番組情報を記録するように指示する（Ｓ１８）。なお、外部レコーダ７０から電源オンした旨の通知が所定時間内に受けることが出来ない場合は、タイムシフト外部機器制御部６０は、番組情報の外部レコーダ７０への記録を断念し、その旨を所定の記録領域に記録する。
【００３７】
そして、外部レコーダ７０は、テレビ１０からの番組情報の記録指示を受けると（Ｓ３４）、地上デジタル放送を受信し及び復調し、ＤｅＭＵＸ処理及びフィルタリング処理をして、セクション形式のパケットを抽出し（Ｓ３６）、記録領域に記録する（Ｓ３８）。
【００３８】
この処理は、タイムシフト録画中に継続して実行され、タイムシフト外部機器制御部６０は、タイムシフト録画の番組が変わったタイミングで、外部レコーダ７０に対して変更後の番組の番組情報を記録するように指示する。
【００３９】
図３は、タイムシフト再生の動作を示すフローチャートである。テレビ１０において、ユーザの操作によってタイムシフト再生録画が開始されると、タイムシフト処理部５０は、タイムシフト用記憶部５２から映像ストリームと音声ストリームを抽出する（Ｓ５０）。同時に、タイムシフト外部機器制御部６０は、外部レコーダ７０に対してＣＥＣ機能を用いて、電源をオンするように指示する（Ｓ５２）。
【００４０】
ここで、外部レコーダ７０は、テレビ１０からの電源オンの指示信号を取得すると、電源をオン状態として、再生可能な状態となる（Ｓ７０）。外部レコーダ７０は、再生可能状態になると、その旨をテレビ１０に通知する（Ｓ７２）。
【００４１】
つづいて、テレビ１０では、タイムシフト処理部５０が、タイムシフト再生する位置を特定する（Ｓ５４）。さらに、タイムシフト外部機器制御部６０が、その特定された再生位置の番組情報を送信するように、ＣＥＣ機能を用いて外部レコーダ７０に要求する（Ｓ５６）。
【００４２】
外部レコーダ７０は、テレビ１０から番組情報の送信要求を受けると（Ｓ７４）、要求された番組情報が記録されているか否かを確認して、記録されている場合には、その要求された番組情報をテレビ１０に対して送信する（Ｓ７６）。要求された番組情報が記録されていない場合は、外部レコーダ７０は、その旨をテレビ１０に通知する。
【００４３】
つづいて、テレビ１０では、タイムシフト外部機器制御部６０が、外部レコーダ７０から番組情報を取得し、コンテンツ処理部１６へ出力する（Ｓ５８）。そして、コンテンツ処理部１６は、タイムシフト再生する映像ストリームと番組情報を合成して（Ｓ６０）、出力部１８に出力する（Ｓ６２）。このとき、音声ストリームも同様に出力部１８から出力される。なお、映像ストリームと番組情報との合成処理は、一般的な表示プレーンの重ね合わせ処理により行われる。
【００４４】
この処理は、タイムシフト再生中に継続して実行され、タイムシフト外部機器制御部６０は、タイムシフト再生の番組が変わるタイミングで、外部レコーダ７０に対して変更後の番組の番組情報を要求する。なお、上述の構成では、番組情報が記録される外部レコーダ７０として、ＨＤＭＩ接続される機器を例示したがこれに限る趣旨ではなく、テレビ１０と連動可能なインタフェイスによって接続可能な機器であればよい。例えば、テレビ１０とＬＡＮ回線等のネットワークを経由して接続された記録装置がある。また、テレビ１０がＵＳＢ（Universal Serial Bus）インタフェイスを有する場合、ＵＳＢ接続されるＵＳＢチューナに番組情報が記録されてもよい。
【００４５】
本実施形態によると、テレビ１０の記憶領域を使用することなく、タイムシフト用の番組情報を記録できるので、内蔵記録ドライブを備えない場合であっても、テレビ１０におけるタイムシフト録画可能時間を長くすることができる。また、番組情報を外部レコーダ７０に記録する構成にした場合でも、テレビ１０の基本機能に負荷をかけることがなく、タイムシフト機能の利便性を損なわない。また、番組情報の録画が不要であり、タイムシフト録画の際のテレビ１０における動作レスポンスを向上させることができる。
【００４６】
以上、本発明を実施形態をもとに説明した。この実施形態は例示であり、それらの各構成要素や各処理プロセスの組み合わせにいろいろな変形例が可能なこと、またそうした変形例も本発明の範囲にあることは当業者に理解されるところである。例えば、上記実施形態では、タイムシフト録画する場合の番組情報を外部レコーダ７０に必ず記録するようにしたが、テレビ１０のタイムシフト用記憶部５２の記録容量に十分余裕がある場合には、タイムシフト用記憶部５２に番組情報が記録される様にして、所定容量以下になったときに、外部レコーダ７０に番組情報を記録するようにしてもよい。また、タイムシフト録画の録画品位（ビットレート）に応じて、番組情報の記録場所を変更するように構成されてもよい。つまり、低品位（低ビットレート）のタイムシフト録画であれば、タイムシフト用記憶部５２に番組情報も記録される。高品位（高ビットレート）の録画であれば、外部レコーダ７０との連携がなされる。このような処理を行うことで、タイムシフト再生時のレスポンス、番組情報の記憶領域の利用のバランスを良好に実現できる。
【符号の説明】
【００４７】
１０  テレビ
１４  セレクタ
１６  コンテンツ出力処理部
１８  出力部
２０  主制御部
２６  操作取得部
２７  操作手段
３０  ソース部
３２  チューナ
３４  内蔵レコーダ
３６  外部機器入出力部
５０  タイムシフト処理部
５２  タイムシフト用記憶部
６０  タイムシフト外部機器制御部
７０  外部レコーダ
７５  外部メモリ
８０  ＨＤＭＩケーブル
【図１】
2011228790.tif 000003
【図２】
2011228790.tif 000004
【図３】
2011228790.tif 000005
【図４】
2011228790.tif 000006
【図５】
2011228790.tif 000007
【図６】
2011228790.tif 000008
【図７】
2011228790.tif 000009
【図８】
2011228790.tif 000010